(57)【特許請求の範囲】
【請求項１】
側面から上面にかけて開口部が設けられた容器本体と、前記開口部を覆うように取り付けられた蓋体とからなる塵芥容器であって、前記開口部の全周縁には内周側の端部に隆起した突堤部を設けている凹溝が設けられ、前記凹溝の内周側及び外周側が連続した壁面である一方、前記蓋体は前記凹溝に嵌め込みできるよう外周端を全周に亘って折り曲げたフランジ部が設けられると共に、前記開口部の上面側における前記凹溝の外周側壁面の両端部に穿設された軸孔と、この軸孔に対向して前記蓋体のフランジ部の両端部に穿設された軸孔とを貫通して回転支軸が設けられ、前記蓋体が前記回転支軸を軸として開閉できるようになされていることを特徴とする塵芥容器。
【発明の詳細な説明】
【０００１】
【発明の属する技術分野】
本発明は、ゴミを収納するための塵芥容器に関する。
【０００２】
【従来の技術】
従来より塵芥を収集し一時保管する塵芥容器が知られている。このような塵芥容器は容器の軽量化や廃棄処理の容易性などを考慮して金属製から合成樹脂製に変わりつつある。例えば、実公平４−４７１２２号公報に記載されるような合成樹脂製の塵芥容器が提案されている。
上記公報では、中空成形で成形された板体を側面から上面にかけて開口して、開口部は上部コーナー板で覆い、開口下部には中板が設けられ、ゴミ投入時には、上部コーナー板を自在に開閉して、ゴミの排出時には前記中板を取り外してゴミを容易に排出できるようになされている。上記塵芥容器としてのゴミ収集コンテナーは合成樹脂で成形されて、塵芥容器の軽量化が図られている。
【０００３】
又、図６に示す様に、従来の別の塵芥容器２０としては、容器本体の上面に開口部が設けられ、開口部に設けられた蓋２１、２２は、容器本体２０の開口部の一側端に取り付けられた２個の蝶番２１０、２１０で取り付けられた塵芥容器がある。
【０００４】
【発明が解決しようとする課題】
しかしこのような従来の塵芥容器においては、図７に示すように塵芥容器の開口部と開口部を遮蔽する蓋体の間に隙間があいており、その隙間より容器内部に雨水が浸入し、容器内部に溜まるという問題があった。
又、図６に示す別の塵芥容器の場合には、容器開口部周縁付近に取り付けられた蝶番２１０、２１０には、別々に荷重がかかり、蝶番２１０、２１０の取り付け付近が破損しやすいと言った問題があった。
本発明は、上記のこのような問題点に着眼してなされたものであり、その目的は、防水性と開口部の剛性に優れる塵芥容器を提供するものである。
【０００５】
【課題を解決するための手段】
本発明の塵芥容器は、側面から上面にかけて開口部が設けられた容器本体と、前記開口部を覆うように取り付けられた蓋体とからなる塵芥容器であって、前記開口部の全周縁には内周側の端部に隆起した突堤部を設けている凹溝が設けられ、前記凹溝の内周側及び外周側が連続した壁面である一方、前記蓋体は前記凹溝に嵌め込みできるよう外周端を全周に亘って折り曲げたフランジ部が設けられると共に、前記開口部の上面側における前記凹溝の外周側壁面の両端部に穿設された軸孔と、この軸孔に対向して前記蓋体のフランジ部の両端部に穿設された軸孔とを貫通して回転支軸が設けられ、前記蓋体が前記回転支軸を軸として開閉できるようになされていることを特徴とするものである。
【０００６】
【作用】
本発明の塵芥容器は、容器本体の開口部周縁の凹溝が雨水の排水溝となって雨水を流し隆起した突堤部によって開口部内への雨水の浸入を防止することができる。
又、開口部は、全周縁に設けられた突堤部によって剛性アップが図られている。更に、蓋体は、全周のフランジ部により剛性アップが図られている。更に又蓋体の開閉部を突堤部で支持しているので、ヒンジ方式に比較して剛性アップを図ることができる。
【０００７】
【発明の実施の形態】
以下に本発明の実施の形態を図面を参照して説明する。
図１は、本発明の塵芥容器を示す斜視図、図２は、塵芥容器の本体を示す斜視図、図３は、塵芥容器の蓋体を示す斜視図、図４は、塵芥容器の開口部の回転支軸を示す断面図、図５は、塵芥容器の開口部の回転支軸の別の形状の嵌合状態を示す断面図である。
図６は、従来の塵芥容器の一例を示す斜視図、図７は従来の塵芥容器の別の一例を示す斜視図である。
【０００８】
図１に示す様に、本発明の塵芥容器１０は、側面から上面にかけて開口部１１４が設けられた合成樹脂製の容器本体１１と、前記開口部１１４を覆う蓋体１２とからなっている。容器本体１１は、合成樹脂で成形されている。
容器本体１１の下方には車輪１３が設けられ、車輪１３で床面上を移動できるようになされている。
上部の容器本体１１には、ゴミ投入と取り出しがし易いように、開口部１１４が容器本体１１の側面から上面にかけて湾曲して設けられている。
【０００９】
図２に示す様に、容器本体１１の前記開口部１１４の周縁には、凹溝１１１が上面から側面にかけての全周縁に設けられている。開口部１１４の端部は隆起した突堤部１１５、１１３、１１３、１１６が設けられている。
そのため上面に吹きつけられる雨水は、凹溝１１１に流れ込み側面から下方に流れ落ちるようになされており、塵芥容器の内部に浸入することはない。
側面の凹溝１１１の上面端部には、軸孔１１２が穿孔されている。
【００１０】
図３に示す様に、前記開口部１１４には、開け閉めできる様に、蓋体１２が湾曲した開口部１１４の形状に合致するように取り付けられている。
前記蓋体１２の外周端は一方向に折り曲げられてフランジ部１２２が形成されている。フランジ部１２２は、前記開口部１１４の周縁に設けられている前記凹溝１１１に嵌め込みできるようになされている。
即ち、蓋体１２のフランジ部の外寸は凹溝１１１に嵌め込める大きさになされている。又、蓋体１２のフランジ部の上端には軸孔１２３が穿孔されている。
【００１１】
図４に示す様に、前記開口部１１４の上面端部の両側には前記凹溝１１１を形成する開口部１１４の側面の凹溝１１１の軸孔１１２と前記蓋体１２のフランジ部１２２の軸孔１２３とを貫通して回転支軸１５が設けられている。回転支軸１５の端部には割りピン１５ａが設けられ回転支軸１５が軸孔１１２、１２３から抜けない様になされている。
前記蓋体１２は、前記回転支軸１５を軸にして、開け閉めできるようになされている。
【００１２】
又、図５に示す様に、本体凹溝１１１の軸孔１１２は、軸孔１１２の補強の為と、蓋体１２の左右へのズレ防止の為に蓋体１２のフランジ部１２２の軸孔１２３付近の形状を隆起させたフランジ形状にすることもできる。
【００１３】
【発明の効果】
本発明の塵芥容器は、以上の通りの構造となされているので、容器本体の開口部周縁の凹溝が雨水の排水溝になり、下方に雨水を流して、開口部内への浸入を防止することができる。又、開口部は、全周縁に設けられた凹溝の突堤部によって剛性アップが図られており、蓋体も全周のフランジ部により剛性アップが図られている。更に又、凹溝の外周側壁面の両端部と蓋体のフランジ部で回転支持軸を支持しているので、ヒンジ方式に比較して剛性アップを図ることができる。
【図面の簡単な説明】
【図１】本発明の塵芥容器を示す斜視図である。
【図２】塵芥容器本体を示す斜視図である。
【図３】塵芥容器の蓋体を示す斜視図である。
【図４】塵芥容器の開口部の回転支軸を示す断面図である。
【図５】塵芥容器の開口部の回転支軸の別の形状の嵌合状態を示す断面図である。
【図６】従来の塵芥容器を示す斜視図である。
【図７】従来の塵芥容器の別の一例を示す斜視図である。
【符号の説明】
１０                    塵芥容器
１１                    塵芥容器本体
１１１                  凹溝
１１２                  軸孔
１１３                  突堤部
１１４                  開口部
１１５、１１６          突堤部
１１７                  接合部
１２                    蓋体
１２１                  把手
１２２                  フランジ部
１２３                  軸孔
１３                    車輪
１５                    回転支軸
１５ａ                  割りピン
２０                    従来の塵芥容器
２１、２２              蓋体
２１０                  蝶番
【図１】
0004782908.tif 000002
【図２】
0004782908.tif 000003
【図３】
0004782908.tif 000004
【図４】
0004782908.tif 000005
【図５】
0004782908.tif 000006
【図６】
0004782908.tif 000007
【図７】
0004782908.tif 000008